(57)【要約】【課題】ケースの背面を設置構造体に対面し近接して装着した構成であって、背面側の制御用部材が容易に保守ができるエレベーター用制御盤を得る。【解決手段】直方体からなる箱状をなすケース６内に制御用部材を設け、ケース６の背面を設置構造体１面に近接して配置する。そして、保守作業時に前面板８を開放してケース６内の前面寄りの制御用部材の保守作業を行い、またケース６をヒンジ機構５により回動し設置構造体１から離れた位置に配置し、背面板１１を開放してケース６内の背面寄りの制御用部材の保守作業を行う。したがって、ケース６内の前面側及び背面寄りにおける制御用部材の保守作業を容易化し、またケース６内の背面寄り位置の保守に関わる小形化制約要件が解消し制御盤を一層小形化でき、制御盤の製作費を低減し設置を容易化する。【選択図】        図１
2004175528.tif 000002
【特許請求の範囲】
【請求項１】
直方体からなる箱状をなし内部に制御用部材が装備され、常時は背面が設置構造体に近接して対面した状態に保持されたケースと、開放自在に構成されて常時は上記ケースの前面を覆って配置され、人為操作により上記前面から離れた開放位置に配置される前面板と、上記ケースにおける側面の一側を上記設置構造体に枢着したヒンジ機構と、開放自在に構成されて常時は上記ケースの背面を覆って配置され、上記ヒンジ機構を介して上記ケースが上記設置構造体から離れて配置された状態において、人為操作により上記背面から離れた開放位置に配置される背面板とを備えたエレベーター用制御盤。
【発明の詳細な説明】
【０００１】
【発明の属する技術分野】
この発明は、背面が建物の壁等の設置構造体に対面し近接して装備されるエレベーター用制御盤に関する。
【０００２】
【従来の技術】
従来のエレベーター用制御盤においては、ケース内にエレベーターの制御用部材が設けられて、エレベーターの昇降路内壁、エレベーター乗場の壁等の設置構造体にケースの背面が対面し近接して装着される。そして、ケースの前面における縁部に一側が枢着された前面扉が設けられ、この前面扉が開扉されて内部の制御用部材の点検、交換等の保守作業を行うように構成されている。（例えば、特許文献１参照）。
【０００３】
【特許文献１】
特表平１１−８６５８号公報（第１図、第３図）
【０００４】
【発明が解決しようとする課題】
従来のエレベーター用制御盤では、制御盤が壁掛け形化、小形化され、また偏平な直方体化されて少ないスペースに容易に設置できるようになっている。しかし、前面扉を開扉してケース内の前面寄りに配置された制御用部材を容易に点検交換等の保守作業を行うことができるものの、ケース内の背面側に配置された制御用部材は保守作業が容易でなく、保守作業に長時間を要したり、また制御盤の一層の小形化が制約されて狭隘なスペースには設置困難になったりするという問題点があった。
【０００５】
この発明は、かかる問題点を解消するためになされたものであり、ケースの背面が設置構造体に対面し近接して装着された構成であって、ケース内の背面側に配置された制御用部材の保守作業が容易にできるエレベーター用制御盤を得ることを目的とする。
【０００６】
【課題を解決するための手段】
この発明に係るエレベーター用制御盤においては、直方体からなる箱状をなし内部に制御用部材が装備され、常時は背面が設置構造体に近接して対面した状態に保持されたケースと、開放自在に構成されて常時はケースの前面を覆って配置され、人為操作により前面から離れた開放位置に配置される前面板と、ケースにおける側面の一側を設置構造体に枢着したヒンジ機構と、開放自在に構成されて常時はケースの背面を覆って配置され、ヒンジ機構を介してケースが設置構造体から離れて配置された状態において、人為操作により背面から離れた開放位置に配置される背面板とが設けられる。
【０００７】
【発明の実施の形態】
実施の形態１．
図１〜図４は、この発明の実施の形態の一例を示す図で、図１は正面図、図２は図１の平面図、図３は図１の制御盤の保守作業状態を示す図２相当図、図４は図１の制御盤の他の保守作業状態を示す図２相当図である。図において、図示が省略してあるがエレベーターの昇降路内壁、エレベーター乗場の壁等に支持板からなる設置構造体１が設けられる。
【０００８】
また、設置構造体１に取付ねじ２によって締結された取付金具３及びヒンジ４からなるヒンジ機構５が設けられる。そして、偏平な直方体からなる箱状をなし内部に制御用部材（図示しない）が装備されたケース６が設けられ、ケース６の側面の一側がヒンジ機構５のヒンジ４に連結されて、背面を設置構造体１に対面して近接して配置され、またケース６の他側の側面寄りが締結ねじ７によって設置構造体１に着脱自在に締結される。
【０００９】
そして、前面扉からなる前面板８がケース６の前面に配置されて、一側がケース６の縁部にヒンジ９によって枢着され、反ヒンジ９側の縁部が締結ねじ１０によってケース６に着脱自在に締結される。また、背面扉からなる背面板１１がケース６の背面に配置されて、一側がケース６の縁部にヒンジ１２によって枢着され、反ヒンジ１２側の縁部が締結ねじ（図示しない）によってケース６に着脱自在に締結される。
【００１０】
上記のように構成されたエレベーター用制御盤は通常時において、ケース６の側面の一側がヒンジ機構５によって設置構造体１に装着され、ケース６の側面の他側は締結ねじ７によって設置構造体１に着脱自在に締結されて図１、図２に示すように設置構造体１に取付けられる。そして、保守作業時には締結ねじ１０が取り外されて前面板８がヒンジ９を介して開放され図３に示す状態となり、ケース６内の前面寄りに配置された制御用部材に対する点検、交換等の保守作業が行われる。
【００１１】
また、ケース６内の背面側に配置された制御用部材に対する点検、交換等の保守作業が次に述べるようにして行われる。すなわち、締結ねじ７が取り外されてケース６がヒンジ機構５を介して回動され、設置構造体１から離れた位置に配置される。次いで、背面板１１のケース６に対する締結ねじが取り外されて、背面板１１がヒンジ１２を介して開放されて図４に示す状態となる。そして、図４に示す状態によってケース６内の背面寄りに配置された制御用部材に対する点検、交換等の保守作業が行われる。
【００１２】
これによって、ケース６内の前面側及び背面寄りにそれぞれ配置された制御用部材に対する点検、交換等の保守作業を容易に行うことができ、保守作業能率を向上することができる。また、ケース６内の背面寄りに配置された制御用部材に対する保守作業性が向上するので、ケース６内の背面寄りの制御用部材に対する保守作業のために制約を受けることによる制御盤の小形化制約要件が解消し、制御盤の一層の小形化が可能になって制御盤の製作費を低減し、また狭隘なスペースにおける制御盤の設置を容易化することができる。
【００１３】
【発明の効果】
この発明は以上説明したように、直方体からなる箱状をなし内部に制御用部材が装備され、常時は背面が設置構造体に近接して対面した状態に保持されたケースと、開放自在に構成されて常時はケースの前面を覆って配置され、人為操作により前面から離れた開放位置に配置される前面板と、ケースにおける側面の一側を設置構造体に枢着したヒンジ機構と、開放自在に構成されて常時はケースの背面を覆って配置され、ヒンジ機構を介してケースが設置構造体から離れて配置された状態において、人為操作により背面から離れた開放位置に配置される背面板とを設けたものである。
【００１４】
これによって、保守作業時には前面板を開放してケース内の前面寄りに配置された制御用部材の保守作業が行われ、またケースがヒンジ機構を介して回動され設置構造体から離れた位置に配置されて、背面板を開放してケース内の背面寄りに配置された制御用部材の保守作業が行われる。したがって、ケース内の前面側及び背面寄りにそれぞれ配置された制御用部材の保守作業を容易に行うことができ保守作業能率を向上する効果がある。また、ケース内の背面寄りに配置された制御用部材に対する保守作業性が向上するので、ケース内の背面寄りの制御用部材に対する保守作業のために制約を受けることによる制御盤の小形化制約要件が解消し、制御盤の一層の小形化が可能になって制御盤の製作費を低減し、また狭隘なスペースにおける制御盤の設置を容易化する効果がある。
【図面の簡単な説明】
【図１】この発明の実施の形態１を示す正面図。
【図２】図１の平面図。
【図３】図１の制御盤の保守作業状態を示す図２相当図。
【図４】図１の制御盤の他の保守作業状態を示す図２相当図。
【符号の説明】
１  設置構造体、    ５  ヒンジ機構、    ６  ケース、    ８  前面板、
１１  背面板。
【図１】
2004175528.tif 000003
【図２】
2004175528.tif 000004
【図３】
2004175528.tif 000005
【図４】
2004175528.tif 000006